(57)【要約】【課題】簡易な構成により便座を回転させ、身体の不自由な人にとって座りやすく立ちやすい便器用便座を提供する。【解決手段】便器用便座１は、盤面に設定された円の軌跡上に、回転自在な回転ガイド８が取付けられたガイドシャフト５が設けられる環状の固定盤２と、盤面に設定された固定盤２と略同一の円の軌跡上に設けられた円弧状の案内孔６を有する環状の回転盤３と、回転盤３と一体となって動き、腰掛者が着座する環状の腰掛盤４と、を備え、固定盤２と回転盤３との間には滑り機構７が設けられ、回転盤３は、案内孔６と案内孔６内に挿入されたガイドシャフト５とにより円の軌跡に沿って固定盤２上において回転する。【選択図】図１
2009284917.tif 000002
【特許請求の範囲】
【請求項１】
腰掛式の大便器に取付けられる便器用便座において、
盤面に設定された円の軌跡上に、回転自在な回転ガイドが取付けられたガイドシャフトが設けられる環状の固定盤と、
盤面に設定された、固定盤と略同一の円の軌跡上に設けられた円弧状の案内孔を有する環状の回転盤と、
回転盤と一体となって動く環状の腰掛盤と、を備え、
固定盤と回転盤との間には滑り機構が設けられ、回転盤は、案内孔と案内孔内に挿入されたガイドシャフトとにより円の軌跡に沿って固定盤上において回転することを特徴とする便器用便座。
【請求項２】
請求項１に記載の便器用便座であって、固定盤の盤面には複数の同心円が設定され、それらの円の軌跡上にそれぞれガイドシャフトが設けられ、回転盤の盤面には各ガイドシャフトに対応し、予め回転盤に設定された回転角度に従った所定の円弧長を有する案内孔が設けられることを特徴とする便器用便座。
【請求項３】
請求項１又は２に記載の便器用便座であって、予め設定された位置で回転盤を停止させる位置決め機構が備えられ、位置決め機構は、ガイドシャフトに取付けられたボールプランジャを案内孔に押し付けることで回転盤の位置決めをすることを特徴とする便器用便座。
【請求項４】
請求項１乃至３のいずれか１に記載の便器用便座であって、回転盤の回転をロックするロック機構が備えられ、ロック機構は、ガイドシャフトに取付けられたロック板を案内孔の上面に押し付けることで回転盤を固定盤にロックすることを特徴とする便器用便座。
【請求項５】
請求項１乃至４のいずれか１に記載の便器用便座であって、腰掛盤は、その平面及び断面において曲線から構成される外形を有し、平面上において、腰掛者の大腿部が接触する部分近傍の盤が便器の外側に向かって膨出し、断面上において、腰掛者の大腿部が接触する部分近傍の盤の上部が便器の内側に向かって緩やかに傾斜していることを特徴とする便器用便座。
【発明の詳細な説明】
【技術分野】
【０００１】
本発明は、便器用便座に係り、特に、腰掛式の大便器に取付けられる回転式の便器用便座に関する。
【背景技術】
【０００２】
従来の便器用便座は、その便座の方向が正面方向に固定されている。これは、健常者の使用を前提としているからであり、身体の不自由な人にとって日常的に使用するトイレは苦痛である。例えば、足腰の不自由な人などで車椅子を使用する人は、トイレの中で車椅子から便器の便座に移動しなければならない。また、介護者の手助けを要するお年寄りなどは、介護者が抱きかかえて便器の便座に座らせなければならない。これらの場合、従来の便器用便座はその方向が正面方向に固定されているため、狭いトイレの中で便座の方向に合わせて車椅子から身体の向きを換え、また、介護者は被介護者を抱きかかえながらその身体の向きを換えさせなければならない。このことは、トイレの使用後に便座から立ち上がる場合にも同様である。
【０００３】
また、従来の便器用便座は、その平面的な形状がほぼ一様な狭い幅の環状であり、断面は平坦な部分が多いことが一般的である。これは、健常者の使用を前提としているからであり、足腰の不自由な人などは、大腿部と便座の接触面が小さいため集中する圧力を感じ、トイレの使用中においては苦痛である。
【０００４】
一方、特許文献１には、便器装置が開示されている。ここでは、便座を便器の開口縁の上方に沿った回転軌跡Ｎ上で回転自在となるように支持する便座回転支持手段が記載されている。この便座回転支持手段は、ころがり軸受を挟んで摺動可能となった内輪と外輪とで構成されるベアリングから成り、このベアリングは便座の下面に設けられた環状凹所内に収納される。また、特許文献２には、便器用便座が開示されている。ここでは、リニアブッシュが案内レールの支持体間を摺動自在に回転することが記載されている。
【０００５】
【特許文献１】特開平１１−２０６６２５号公報
【特許文献２】特開平０７−２０４１２５号公報
【発明の開示】
【発明が解決しようとする課題】
【０００６】
従来の便器用便座は、その便座の方向が正面方向に固定されているため、身体の不自由な人にとっては座りにくく、立ちにくいという課題があった。
【０００７】
また、従来の便器用便座は、その便座の形状について足腰の不自由な人などを考慮していないため、座りづらく、立ちづらいという課題があった。
【０００８】
本願の目的は、かかる課題を解決し、簡易な構成により便座を回転させ身体の不自由な人にとって座りやすく、立ちやすい便器用便座を提供することである。
【課題を解決するための手段】
【０００９】
上記目的を達成するため、本発明に係る便器用便座は、腰掛式の大便器に取付けられる便器用便座において、盤面に設定された円の軌跡上に、回転自在な回転ガイドが取付けられたガイドシャフトが設けられる環状の固定盤と、盤面に設定された、固定盤と略同一の円の軌跡上に設けられた円弧状の案内孔を有する環状の回転盤と、回転盤と一体となって動く環状の腰掛盤と、を備え、固定盤と回転盤との間には滑り機構が設けられ、回転盤は、案内孔と案内孔内に挿入されたガイドシャフトとにより円の軌跡に沿って固定盤上において回転することを特徴とする。
【００１０】
これにより、便器用便座の回転盤及び腰掛盤は、円の軌跡に沿って固定盤上において簡易な構成により回転する。従って、腰掛者は、簡易な操作により回転した便座に座ることができ、回転した便座から立ち上がることができる。
【００１１】
また、便器用便座は、固定盤の盤面には複数の同心円が設定され、それらの円の軌跡上にそれぞれガイドシャフトが設けられ、回転盤の盤面には各ガイドシャフトに対応し、予め回転盤に設定された回転角度に従った所定の円弧長を有する案内孔が設けられることが好ましい。これにより、ガイドシャフト及び案内孔の個数及び配置の自由度が増し、安定した回転盤の回転が保証される。
【００１２】
また、便器用便座は、予め設定された位置で回転盤を停止させる位置決め機構が備えられ、位置決め機構は、ガイドシャフトに取付けられたボールプランジャを案内孔に押し付けることで回転盤の位置決めをすることが好ましい。これにより、便器用便座は、ガイドシャフトを利用して簡易な構成により位置決め機構を備えることができる。
【００１３】
また、便器用便座は、回転盤の回転をロックするロック機構が備えられ、ロック機構は、ガイドシャフトに取付けられたロック板を案内孔の上面に押し付けることで回転盤を固定盤にロックすることが好ましい。これにより、便器用便座は、ガイドシャフトを利用して簡易な構成によりロック機構を備えることができる。
【００１４】
さらに、便器用便座は、腰掛盤は、その平面及び断面において曲線から構成される外形を有し、平面上において、腰掛者の大腿部が接触する部分近傍の盤が便器の外側に向かって膨出し、断面上において、腰掛者の大腿部が接触する部分近傍の盤の上部が便器の内側に向かって緩やかに傾斜していることが好ましい。これにより、足腰の不自由な人などの大腿部と便座と接触する面が拡大して圧力が均等化される。
【発明の効果】
【００１５】
以上のように、本発明に係る便器用便座によれば、簡易な構成により便座を回転でき身体の不自由な人にとって座りやすく立ちやすくすることが可能となる。
【発明を実施するための最良の形態】
【００１６】
以下に、図面を用いて本発明に係る便器用便座の実施の形態につき、詳細に説明する。
【００１７】
（便器用便座の構成）
図１に、便器用便座の１つの実施形態の概略構成を分解した斜視図により示す。便器用便座１は、固定盤２、回転盤３、及び腰掛盤４の３つの盤が層状となって構成され、これらが１つのセットとなって便器９に取付けられる。便器９は、一般的に用いられる腰掛式（或いは洋式、洋風）大便器である。腰掛式大便器は、本体、便座、及び便蓋から構成されるのが一般的である。本発明の便器用便座１は、この一般的な腰掛式大便器の便座部分と交換可能な便座セットである。なお、図１では便器９に取付けられる便蓋は省略する。
【００１８】
図２に固定盤２の構成を示す。図２（ａ）は平面を示し、図２（ｂ）は、図２（ａ）のＡ−Ａ断面を示す。固定盤２は、一般的な便座と同様に便器９に対して便座取付け部１３において着脱可能に取付けられる。固定盤２は、内部に開口１０を有する環状の盤面１２から成る。固定盤２の盤面１２上には、図２に破線で示すように円１４が設定され、その円１４の軌跡上にガイドシャフト５が設けられる。本実施形態では、回転中心１１を共有する、半径Ｒ１である第１の円１４ａ、及び半径Ｒ２である第２の円１４ｂの２つの円１４が設定される。そして、円１４ａの軌跡上には，ガイドシャフト５ａ，５ｂが設けられ、円１４ｂの軌跡上には，ガイドシャフト５ｃ，５ｄが設けられる。この盤面１２上に設定される円１４は、１つの円１４であっても良く、３つ以上の円１４であっても良い。そして、円１４の軌跡上に設けられるガイドシャフト５の取付け総数、取り付け位置、円１４ごとの取付け数などについては、本実施形態の構成に限らない。
【００１９】
図３に回転盤３の構成を示す。図３（ａ）は平面を示し、図３（ｂ）は、図３（ａ）のＢ−Ｂ断面を示す。回転盤３は、内部に開口２０を有する環状の盤面２２から成る。回転盤３の盤面２２上には、図３に破線で示すように円２４が設定され、その円２４の軌跡上に円弧状の案内孔６が設けられる。この円２４の回転中心２１は、固定盤２に設定された円１４の回転中心１１と平面的に略同一の位置に設定される。本実施形態では、回転中心２１を共有する、半径Ｒ１である第１の円２４ａ、及び半径Ｒ２である第２の円２４ｂの２つの円２４が設定される。そして、円２４ａの軌跡上には，案内孔６ａ，６ｂが設けられ、円２４ｂの軌跡上には，案内孔６ｃ，６ｄが設けられる。回転盤３の各案内孔６は、固定盤２に設けられた各ガイドシャフト５にそれぞれ１対１で対応する。この回転盤３の各案内孔６の取付け総数、取り付け位置などについては、固定盤２の場合と同様に本実施形態の構成に限らない。
【００２０】
図２及び図３に示すように、固定盤２と回転盤３との間隙には滑り機構である滑り部材１７ａ〜１７ｄが設けられる。本実施形態では、このすべり部材１７ａ〜１７ｄは、回転盤３の裏面に取付けられるが、固定盤２の表面に取付けられても良い。また、本実施形態では、すべり部材１７ａ〜１７ｄは、それぞれ各ガイドシャフト５ａ〜５ｄの近傍に設ける。図３（ｂ）に固定盤２を破線で示し、固定盤２と回転盤３との間隙に滑り部材１７ａ，１７ｂ及び１７ｃを示す。このすべり部材１７の個数及び位置は、回転盤３の回転がスムースに行われる個数及び位置であればこれらに限らない。このすべり部材１７は、摩擦係数の小さな材料が用いられる。本実施形態では、デュポン社の登録商標デルリン（Ｄｅｌｒｉｎ）で知られるポリアセタール樹脂を用いるが、これに限らずデュポン社の登録商標テフロン（Ｔｅｆｌｏｎ）で知られるフッ素樹脂、ステンレス鋼などであっても良い。
【００２１】
図４に腰掛盤４の構成を示す。図４（ａ）は平面を示し、図４（ｂ）は、図４（ａ）のＣ−Ｃ断面を示し、図４（ｃ）は、図４（ａ）のＤ−Ｄ断面を示す。図４（ａ）には、参考のために固定盤２の平面を破線で示す。腰掛盤４は、腰掛者が座る一般的な便座の役割を果たす。腰掛盤４は、内部に開口３０を有し、平面的に回転盤３と略同様な外形である。そして、回転盤３に対して着脱可能に取付けられ、腰掛盤４は回転盤３と一体となって回転する。
【００２２】
腰掛盤４は、図４に示すように、その平面及び断面において全て曲線から構成される外形を有する。これにより、腰掛者に対して便座から受ける圧力を緩和させることができる。また、平面において、図４（ａ）に示すように、その腰掛者（図示せず）が着座した際に大腿部（図示せず）が接触する盤面３２上の大腿部接触領域１６が便器用便座１の外側に向かって膨出している。これにより、腰掛者の大腿部が腰掛盤４から受ける圧力が広範囲に分散される。また、断面において、図４（ｂ）及び図４（ｃ）に示すように、腰掛者の大腿部や尻部が接触する盤面３２が便器の内側に向かってなだらかに傾斜している。このように腰掛盤４の盤面３２の形状を腰掛者の大腿部や尻部の形状に沿わせることで、腰掛者の大腿部が便座から受ける圧力が均一化される。この人間工学に基づく腰掛盤４の盤面３２の形状により、足腰の不自由な人などに対して苦痛を感じさせない便座にすることができる。
【００２３】
（便器用便座の回転機構）
次に、図３を用いて、固定盤２に対して回転する回転盤３の回転機構について説明する。回転盤３は、案内孔６と案内孔６内に挿入されたガイドシャフト５とにより円２４の軌跡に沿って固定盤２上において回転する。すなわち、回転盤３の盤面２２には、固定盤２に設けられた各ガイドシャフト５ａ〜５ｄに対応し、予め回転盤３に設定された回転角度に従った所定の円弧長を有する案内孔６ａ〜６ｄが設けられる。本実施形態では、回転盤３は、正面位置から左右に略４５度ずつ回転するように設定される。すなわち、図３には、回転盤３が正面位置にある場合のガイドシャフト５ａ〜５ｄ、回転盤３が図３に矢印（Ｘ）で示す反時計回りに回転した最大位置にある場合のガイドシャフト１５ａ〜１５ｄ、及び回転盤３が図３に矢印（Ｙ）で示す時計回りに回転した最大位置にある場合のガイドシャフト２５ａ〜２５ｄを破線で示す。そして、案内孔６ａ〜６ｄは、各ガイドシャフト５ａ〜５ｄは反時計回りに回転した最大位置と、時計回りに回転した最大位置とが回転中心２１に対して略９０度の円弧を形成する。従って、案内孔６ａ〜６ｄの円弧長はこの設定された角度により決定される。この設定された９０度の円弧は、この角度（９０度）に限らず任意に設定できる。
【００２４】
本実施形態では、別途設けられた駆動装置（図示せず）により回転盤３及び回転盤３に取り付いた腰掛盤４が正面位置から左右に４５度ずつ回転される。本実施形態では、この回転は別途設けられた駆動装置（図示せず）によるが、腰掛者が自ら回転させる構成であっても良い。この回転盤３により、通常は正面位置にある便器用便座１を、腰掛者が腰掛ける場合、立ち上がる場合、或いは使用中にトイレットペーパなどを使用する場合などに回転させることができる。
【００２５】
（便器用便座の位置決め機構）
図５に、便器用便座１の位置決め機構１８を示す。図５（ａ）に断面を示し、図５（ｂ）に、図５（ａ）のＥ−Ｅ断面を示す。本実施形態では、位置決め機構１８はガイドシャフト５ａ，５ｂ，５ｃ，５ｄの４箇所に設置される。位置決め機構１８は、ボールプランジャ１９、シャフト本体２３、回転ガイド８、ガイド２６、支持金物２７、及び接触プレート２８から構成される。この位置決め機構１８は、ガイドシャフト５ａ〜５ｄに取付けられたボールプランジャ１９を案内孔６ａ〜６ｄの側面に設けられた接触プレート２８に押し付けることで設定された位置で位置決めをする機構である。
【００２６】
固定盤２にはガイド２６を下方から挿入する孔が明けられる。このガイド２６は下方からガイド固定用のボルト（図示せず）により固定盤２に固定され、その上からゴムクッション２９により保護される。このガイド２６にシャフト本体２３が接続され、シャフト本体２３の上部に支持金物２７を介してボールプランジャ１９が取付けられる。図５（ｂ）に示すように、支持金物２７には長孔のボルト孔４３が明けられボルト４２が挿入される。接触プレート２８に押し付けられたボールプランジャ１９は、支持金物２７の長孔により移動して位置決めされる。
【００２７】
ここで、ガイドシャフト５ａ〜５ｄのシャフト本体２３には、回転自在な回転ガイド８が取付けられる。この回転ガイド８は、ガイドシャフト５ａ〜５ｄが案内孔６ａ〜６ｄに沿って移動する際に回転する。これにより、案内孔６ａ〜６ｄの壁面とガイドシャフト５ａ〜５ｄとの間に発生する摩擦力が低減され、滑らかな回転が可能となる。また、案内孔６ａ〜６ｄの壁面と回転ガイド８とにはクリアランスがあり、腰掛者が腰掛けた際に発生する衝撃力の影響を緩和させることができる。
【００２８】
（便器用便座のロック機構）
図６に、便器用便座１のロック機構３１を示す。ロック機構３１は、ロック板３２、ロックシャフト３３、ロック用シャフト３４、シャフト開口３５、クランクホルダー３６、クランクジョイント３７、及びクランクシャフト３８から構成される。ガイドシャフト５ｂに取付けられたロック板３２を案内孔６ｂの回転盤凹部３９に押し付けることで回転盤３を固定盤２にロックする機構である。本実施形態では、このロック機構は、ガイドシャフト６ｂに取付けられる。
【００２９】
固定盤２にはクランクホルダー３６を下方から挿入する孔が明けられる。このクランクホルダー３６は下方からクランクホルダー固定用のボルト（図示せず）により固定盤２に固定され、その上からゴムクッション４１により保護される。このクランクホルダー３６にクランクジョイント３７を介してロックシャフト３３が接続される。一方、図２に示すロック用シャフト貫通孔４０内にはロック用シャフト３４が挿入される。ロック用シャフト３４には、斜め部分を有するＺ型の形状をしたシャフト開口３５が設けられ、そのシャフト開口３５にはクランクジョイント３７に連結する丸棒であるクランクシャフト３８が差し込まれる。図２に示すように、腰掛者がロック用シャフト３４を図２に示すＺ方向に動かすと、クランクシャフト３８はシャフト開口３５に沿って下方に移動する。このクランクシャフト３８の下方への移動により、ロックシャフト３３の上部に設けられたロック板３２が案内孔６ｂの回転盤凹部３９に押し付けられてロックされる。このロックは、腰掛者がロック用シャフト３４を図２に示すＺ方向と逆方向に動かすことで解除される。
【００３０】
ここで、ガイドシャフト５ｂのロックシャフト３３には、回転自在な回転ガイド８が取付けられる。この回転ガイド８は、ガイドシャフト５ｂが案内孔６ｂに沿って移動する際に回転する。これにより、案内孔６ｂの壁面とガイドシャフト５ｂとの間に発生する摩擦力が低減され、滑らかな回転が可能となる。また、案内孔６ｂの壁面と回転ガイド８とにはクリアランスがあり、腰掛者が腰掛けた際に発生する衝撃力の影響を緩和させることができる。
【図面の簡単な説明】
【００３１】
【図１】本発明に係る便器用便座の１つの実施形態の概略構成を示す分解斜視図である。
【図２】固定盤の構成を示す平面図及び断面図である。
【図３】回転盤の構成を示す平面図及び断面図である。
【図４】腰掛盤の構成を示す平面図及び断面図である。
【図５】位置決め機構を示す断面図である。
【図６】ロック機構を示す断面図である。
【符号の説明】
【００３２】
１  便器用便座、２  固定盤、３  回転盤、４  腰掛盤、５，１５，２５  ガイドシャフト、６  案内孔、８  回転ガイド、９  便器、１０，２０，３０  開口、１１，２１  回転中心、１２，２２，３２  盤面、１３  便座取付け部、１４ａ，２４ａ  第１の円、１４ｂ，２４ｂ  第２の円、１６  大腿部接触領域、１７  滑り部材、１８  位置決め機構、１９  ボールプランジャ、２３  シャフト本体、２６  ガイド、２７  支持金物、２８  接触プレート，２９，４１  ゴムクッション、３１  ロック機構、３２  ロック板、３３  ロックシャフト、３４  ロック用シャフト、３５  シャフト開口、３６  クランクホルダー、３７  クランクジョイント、３８  クランクシャフト、３９  回転盤凹部、４０  ロック用シャフト貫通孔、４２  ボルト、４３  ボルト孔、Ｒ１  第１の円の半径、Ｒ２  第２の円の半径、Ｘ  反時計回り回転、Ｙ  時計回り回転。
【図１】
2009284917.tif 000003
【図２】
2009284917.tif 000004
【図３】
2009284917.tif 000005
【図４】
2009284917.tif 000006
【図５】
2009284917.tif 000007
【図６】
2009284917.tif 000008